(57)【要約】【課題】望ましいカラーチャートデータを容易に作成することができるチャートデータ作成装置と、チャートデータ作成プログラムと、チャートデータ作成方法とを提供する。【解決手段】予め用意された複数の色データに基づいて印刷された複数のカラーパッチに対する測色で得られた複数の測色値を取得する色知得部６１０と、上記の複数の色データのうちの一部である色データ群に対応する測色値群を使って色を推定する推定部６２０と、測色値が表わす正解の色と推定色との色差を算出する相違算出部６３０と、色差が大きい推定色に対応する色データを上記色データ群に追加するデータ追加部６４０と、これらの処理を所定条件が満たされるまで反復させる反復部６５０と、上記所定条件が満たされた場合における色データ群でカラーチャートデータを作成するチャートデータ作成部６６０とを備えた。【選択図】        図８
2007324862.tif 000002
【特許請求の範囲】
【請求項１】
色データと色とを媒介するデバイスの複数の色データについて、そのデバイスによる媒介で各色データに対応する各色を知得する色知得部と、
前記複数の色データのうちの一部の色データからなる色データ群と、該色データ群を構成する各色データについて前記色知得部で知得された各色とに基づいて、該複数の色データのうちの、該色データ群を構成する色データ以外の色データを少なくとも含んだ複数の色データに対して前記デバイスによる媒介で対応する各色を推定する推定部と、
前記推定部で推定された色と、前記知得部で知得された色との相違を算出する相違算出部と、
前記推定部で推定された色のうちで相対的に前記相違が大きい色に対応する色データを前記色データ群に追加するデータ追加部と、
前記データ追加部による色データの追加と、その色データが追加された色データ群に基づいた、前記推定部による色推定と、その色推定に基づいた、前記相違算出部による相違算出とを、所定条件が満たされるまで反復させる反復部と、
カラーチャートを構成するカラーパッチ群を、前記所定条件が満たされた場合における色データ群で表現したカラーチャートデータを作成するチャートデータ作成部とを備えたことを特徴とするチャートデータ作成装置。
【請求項２】
前記デバイスが、色データの入力を受けて色を出力することで色データと色とを媒介するものであり、
前記色知得部が、前記デバイスによって出力された色が測定されて得られた測色値を取得することで、その出力された色を知得するものであることを特徴とする請求項１記載のチャートデータ作成装置。
【請求項３】
前記色データが、色空間上の点を表したものであり、
前記知得部が、前記色空間上に規則的に並んだ格子点のうちから選択された複数の格子点それぞれを表した複数の色データについて色を知得するものであることを特徴とする請求項１記載のチャートデータ作成装置。
【請求項４】
前記相違算出部が、前記推定部で推定された色と、前記知得部で知得された色との色差を前記相違として算出するものであることを特徴とする請求項１記載のチャートデータ作成装置。
【請求項５】
前記反復部は、前記推定部で推定された各色の総合的な相違が所定の相違に収まるまで前記追加と前記色推定と前記相違算出とを反復させるものであることを特徴とする請求項１記載のチャートデータ作成装置。
【請求項６】
前記反復部は、前記色データ群を構成する色データの数が所定数に達するまで前記追加と前記色推定と前記相違算出とを反復させるものであることを特徴とする請求項１記載のチャートデータ作成装置。
【請求項７】
前記色データが、互いに補色関係にある２色それぞれに対応した２つの座標軸を有する色空間上の点を表したものであり、
前記知得部が、前記色空間上に規則的に並んだ格子点のうち、前記２つの座標軸の少なくとも一方について０の座標成分を有する格子点については、それら２つの座標軸の双方について０でない座標成分を有する格子点よりも、多い数の複数の格子点それぞれを表した複数の色データについて色を知得するものであることを特徴とする請求項１記載のチャートデータ作成装置。
【請求項８】
前記チャートデータ作成部が、前記所定条件が満たされた場合における色データ群に、前記複数の色データのうちで前記デバイスによる媒介でグレー色に対応する色データと肌色に対応する色データとの少なくとも一方の色データを追加し、その追加された色データ群で前記カラーパッチ群を表現したカラーチャートデータを作成するものであることを特徴とする請求項１記載のチャートデータ作成装置。
【請求項９】
前記推定部が、前記色データ群として、前記複数の色データのうちで前記デバイスによる媒介でグレー色に対応する色データと肌色に対応する色データとの少なくとも一方の色データを含む複数の色データからなる色データ群を、色推定の反復の当初から用いるものであることを特徴とする請求項１記載のチャートデータ作成装置。
【請求項１０】
コンピュータに組み込まれ、該コンピュータ上に、
色データと色とを媒介するデバイスの複数の色データについて、そのデバイスによる媒介で各色データに対応する各色を知得する色知得部と、
前記複数の色データのうちの一部の色データからなる色データ群と、該色データ群を構成する各色データについて前記色知得部で知得された各色とに基づいて、該複数の色データのうちの、該色データ群を構成する色データ以外の色データを少なくとも含んだ複数の色データに対して前記デバイスによる媒介で対応する各色を推定する推定部と、
前記推定部で推定された色と、前記知得部で知得された色との相違を算出する相違算出部と、
前記推定部で推定された色のうちで相対的に前記相違が大きい色に対応する色データを前記色データ群に追加するデータ追加部と、
前記データ追加部による色データの追加と、その色データが追加された色データ群に基づいた、前記推定部による色推定と、その色推定に基づいた、前記相違算出部による相違算出とを、所定条件が満たされるまで反復させる反復部と、
カラーチャートを構成するカラーパッチ群を、前記所定条件が満たされた場合における色データ群で表現したカラーチャートデータを作成するチャートデータ作成部とを構築することを特徴とするチャートデータ作成プログラム。
【請求項１１】
色データと色とを媒介するデバイスの複数の色データについて、そのデバイスによる媒介で各色データに対応する各色を知得する色知得過程と、
前記複数の色データのうちの一部の色データからなる色データ群と、該色データ群を構成する各色データについて前記色知得過程で知得された各色とに基づいて、該複数の色データのうちの、該色データ群を構成する色データ以外の色データを少なくとも含んだ複数の色データに対して前記デバイスによる媒介で対応する各色を推定する推定過程と、
前記推定過程で推定された色と、前記知得過程で知得された色との相違を算出する相違算出過程と、
前記推定過程で推定された色のうちで相対的に前記相違が大きい色に対応する色データを前記色データ群に追加するデータ追加過程と、
前記データ追加過程による色データの追加と、その色データが追加された色データ群に基づいた、前記推定過程による色推定と、その色推定に基づいた、前記相違算出過程による相違算出とを、所定条件が満たされるまで反復させる反復過程と、
カラーチャートを構成するカラーパッチ群を、前記所定条件が満たされた場合における色データ群で表現したカラーチャートデータを作成するカラーチャートデータ作成過程とを備えたことを特徴とするチャートデータ作成方法。
【発明の詳細な説明】
【技術分野】
【０００１】
本発明は、カラーチャートを表すカラーチャートデータを作成するチャートデータ作成装置と、コンピュータをそのようなチャートデータ作成装置として動作させるチャートデータ作成プログラムと、そのようなカラーチャートデータを作成するチャートデータ作成方法に関する。
【背景技術】
【０００２】
例えば、記録された画像を読み取って画像データを得るカラースキャナや、固体撮像素子上に被写体の画像を結像して読み取ることにより画像データを得るＤＳＣ（デジタルスチルカメラ）等、何らかの原稿を入力して画像データを得る、様々なタイプの入力デバイスが知られている。これらの入力デバイスは、例えばＲ（レッド）、Ｇ（グリーン）、Ｂ（ブルー）の３色の成分値を有する色データと色とを媒介するデバイスであり、入力デバイスでは、画像の各画素の色がそのような色データで表現されてなる画像データが得られる。このとき、色データにおける各成分値に対応する座標軸を有する色空間（例えば、ＲＧＢ色空間）は、その色データと色とを媒介する入力デバイスに依存したものとなる。また、入力デバイスで得られる画像データを構成する色データは、その入力デバイスに依存した色空間（入力色空間）上の点を表わしている。
【０００３】
また、画像データに基づいて画像を出力する出力デバイスについても、例えば、印画紙上をレーザ光で露光してその印画紙を現像することにより印画紙上に画像を記録する写真プリンタ、電子写真方式やインクジェット方式等の方式で用紙上に画像を記録するプリンタ、輪転機を回して多量の印刷物を作成する印刷機、画像データに基づいて表示画面上に画像を表示するＣＲＴディスプレイやプラズマディスプレイ等の画像表示装置等、様々なタイプの出力デバイスが知られている。これらの出力デバイスは、例えばＲＧＢ３色の成分値の組合せや、Ｃ（シアン）、Ｍ（マゼンタ）、Ｙ（イエロー）、Ｋ（墨）の４色の成分値を有する色データと色とを媒介するデバイスであり、出力デバイスでは、画像の各画素の色がそのような色データで表現されてなる画像データに基づいて、画像が色を含めて出力される。このとき、上記の各成分値に対応する座標軸を有する色空間（例えば、ＲＧＢ色空間やＣＭＹＫ色空間）は、色データと色とを媒介する出力デバイスに依存したものとなる。また、出力デバイスで扱われる画像データを構成する色データは、その出力デバイスに依存した色空間（出力色空間）上の点を表わしている。
【０００４】
一般に、入力デバイスと出力デバイスとでは、取り扱われる画像データに対応する色空間が相互に異なっている。このため、例えば、入力デバイスと出力デバイスとの双方が、ＲＧＢ３色の成分値を有する色データからなる画像データを扱う装置であったとしても、入力デバイスで得られた画像データをそのまま用いて出力デバイスで画像を出力したときに、入力デバイスに入力された原稿の色と出力デバイスで出力された画像の色とは一般には一致しない。従って、入力デバイスで原稿を読み取って画像データを得、その画像データを基にして出力デバイスで原稿を再現する場合には、入力デバイスで得られた画像データをそのまま出力デバイスに送るのではなく、その間で画像データを変換する必要がある。ここでは、画像の色に着目した色データの変換が行われ、この変換を色変換と称する。また、色変換前後の色データの相互関係を定義するＬＵＴ（ルックアップテーブル）等のことを色変換定義と称する。
【０００５】
ところで、通常、上記の色変換は、概念的には、例えばＬａｂ色空間やＸＹＺ色空間等といったデバイスに非依存の共通色空間を介して行われる。そのため、上記の色変換定義は、概念的には、入力色空間上の点を表わす入力側の色データと、共通色空間上の点を表わす共通の色データとの相互関係を定義するいわゆる入力プロファイルと、出力色空間上の点を表わす出力側の色データと、共通色空間上の点を表わす共通の色データとの相互関係を定義するいわゆる出力プロファイルとが結合されたものとなる。
【０００６】
このような色変換定義の作成について、出力プロファイルを例に挙げて説明する。この出力プロファイルは、具体的には、出力色空間上に規則的に並ぶ複数の格子点それぞれを表す出力側の色データと、共通色空間上で、各格子点に色変換を介して一対一に対応する複数の対応点それぞれを表す共通の色データとの組が、テーブル形式で記述されたものとなる。また、共通の色データは、出力デバイスが、ある色データに従って出力した出力色を測色計等で測色して得られるＸＹＺ値やＬａｂ値といった測色データに相当する。
【０００７】
ここで、出力プロファイルは、出力デバイスで対応可能な色データについて満遍なく網羅しておく必要があるため、一般的に、出力プロファイルを構成するのに必要な色データの組の数、即ち、上記の出力色空間内の格子点の数は膨大なものとなる。そのため、それらの格子点の全てについて、共通の色データを測色で求めることは現実的ではない。そこで、実際には、複数の格子点のうち現実的な数の代表点についてのみ、共通の色データを測色で求め、その他の格子点については、測色で得たそれら既知の色データを使って共通の色データを推定するという手法が採られることが多い（例えば、特許文献１および特許文献２参照。）。
【０００８】
このような手法では、上記の代表点についての共通の色データは、代表点を表わす色データで各カラーパッチが表現されたカラーチャートを出力デバイスに出力させ、各カラーパッチを測色することで得られる。ここで、作成される出力プロファイルの精度は、上記の格子点のうちのどのような点を代表点に選んだか、即ち、その出力プロファイルの作成にどのようなカラーパッチを有するカラーチャートを用いたかに左右される。しかし、通常、所望の精度の出力プロファイルを得るためにどのようなカラーパッチを有するカラーチャートを出力デバイスに出力させれば良いかを予測することは困難である。
【０００９】
そこで、例えば、デフォルトのカラーパッチを有する初期カラーチャートを使って所望の精度の出力プロファイルを得る次のような技術が提案されている（例えば、特許文献３参照。）。まず、出力デバイスに初期カラーチャートを出力させて初期プロファイルが作成される。次に、その初期プロファイルに対する精度解析によって、出力プロファイルの精度を向上させる新たなカラーパッチが決定される。そして、その新たなカラーパッチを有する追加のカラーチャートが出力され、その追加のカラーチャートと初期カラーチャートとの両方が使われて出力プロファイルが作り直される。このような処理が、所望の精度の出力プロファイルが得られるまで繰り返される。
【特許文献１】特開２００３−２８９４４６号公報
【特許文献２】特開２００６−２４９７１号公報
【特許文献３】特開２００４−２０１０３６号公報
【発明の開示】
【発明が解決しようとする課題】
【００１０】
ここで、特許文献３に示す技術は、ある出力デバイスについて所望の精度の出力プロファイルを得るための技術であるが、この技術で最終的に出力プロファイルの作成に使われた全カラーパッチを有するカラーチャートを表すカラーチャートデータを作成すれば、同じ機種の他の出力デバイスについて所望の精度の出力プロファイルが得られる望ましいカラーチャートデータを得ることができる。この方法では、ある機種の出力デバイスについて望ましいカラーチャートデータを得るために、１つの出力デバイスを代表として、その代表の出力デバイスで上記のようにカラーチャートを複数回に亘って出力する必要がある。しかしながら、例えば出力デバイスの一例である印刷システムでは印刷作業が手間とコストを要する大掛かりなものとなるので、カラーチャートを複数回印刷するときの作業者の負担やコストは無視できないものとなる。とは言うものの、このような手間とコストを抑えて、例えば上記のような代表の出力デバイスでカラーチャートを１回出力するだけで望ましいカラーチャートデータを容易に作成する等といった技術は未だ提案されていないのが現状である。
【００１１】
また、ここまで色変換定義の一例である出力プロファイルについて、望ましいカラーチャートデータを容易に作成する技術が望まれているという状況について説明したが、色変換定義の別例である入力プロファイルについても、そのような技術が望まれているという状況は同様である。
【００１２】
本発明は、上記事情に鑑み、望ましいカラーチャートデータを容易に作成することができるチャートデータ作成装置と、コンピュータをそのようなチャートデータ作成装置として動作させるチャートデータ作成プログラムと、望ましいカラーチャートデータを容易に作成することができるチャートデータ作成方法とを提供することを目的とする。
【課題を解決するための手段】
【００１３】
上記目的を達成する本発明のチャートデータ作成装置は、色データと色とを媒介するデバイスの複数の色データについて、そのデバイスによる媒介で各色データに対応する各色を知得する色知得部と、
上記複数の色データのうちの一部の色データからなる色データ群と、その色データ群を構成する各色データについて上記色知得部で知得された各色とに基づいて、その複数の色データのうちの、その色データ群を構成する色データ以外の色データを少なくとも含んだ複数の色データに対して上記デバイスによる媒介で対応する各色を推定する推定部と、
上記推定部で推定された色と、上記知得部で知得された色との相違を算出する相違算出部と、
上記推定部で推定された色のうちで相対的に上記相違が大きい色に対応する色データを上記色データ群に追加するデータ追加部と、
上記データ追加部による色データの追加と、その色データが追加された色データ群に基づいた、上記推定部による色推定と、その色推定に基づいた、上記相違算出部による相違算出とを、所定条件が満たされるまで反復させる反復部と、
カラーチャートを構成するカラーパッチ群を、上記所定条件が満たされた場合における色データ群で表現したカラーチャートデータを作成するチャートデータ作成部とを備えたことを特徴とする。
【００１４】
ここで、本発明のチャートデータ作成装置において、「上記デバイスが、色データの入力を受けて色を出力することで色データと色とを媒介するものであり、
上記色知得部が、上記デバイスによって出力された色が測定されて得られた測色値を取得することで、その出力された色を知得するものである」という形態は典型的な形態である。
【００１５】
本発明のチャートデータ作成装置によれば、上記反復時に、上記複数の色データの中から色データをピックアップして上記色データ群に追加していくことで、カラーチャートデータが作成される。この色データの追加は、上記推定部で推定された色と、上記知得部で知得された実際の色との相違が大きい色データについて行われる。ここで、一般に、カラーチャートデータに基づく色変換定義の作成時には、上記推定部による色推定と同様な色推定が実行されるので、上記の色の相違はこの色変換定義の精度に相当することとなり、本発明のチャートデータ作成装置では、このような色変換定義の精度が向上するように上記の色データの追加が行われることとなる。従って、例えば、色変換定義についての所望の精度が得られるまでの色データの追加を十分に賄える多数の色データについて上記知得部で色を知得しておく等といった運用によれば、所望の精度の色変換定義が得られる望ましいカラーチャートデータが、色の新たな知得抜きで上記の反復のみによって作成されることとなる。ここで、上記知得部で知得される色が、デバイスによって媒介される色であるとすると、本発明のチャートデータ作成装置によれば、そのようなデバイスによる媒介が１回で済む。つまり、本発明のチャートデータ作成装置によれば、上記のような望ましいカラーチャートデータを、デバイスによる１回の媒介で容易に作成することができる。
【００１６】
また、本発明のチャートデータ作成装置において、「上記色データが、色空間上の点を表したものであり、
上記知得部が、上記色空間上に規則的に並んだ格子点のうちから選択された複数の格子点それぞれを表した複数の色データについて色を知得するものである」という形態は好ましい形態である。
【００１７】
一般的に、入力デバイスについての入力プロファイルや、出力デバイスについての出力プロファイル等といった色変換定義は、色空間上に規則的に並ぶ複数の格子点それぞれを表す出力側の色データと、共通色空間上で、各格子点に色変換を介して一対一に対応する複数の対応点それぞれを表す共通の色データとの組が、テーブル形式で記述されたものとなる。上記の好ましい形態のチャートデータ作成装置によれば、このような色変換定義の精度の算出に好適な、規則的な格子点のうちから選択された格子点について上記の正解の色を得て、カラーチャートデータを容易に作成することができる。
【００１８】
また、本発明のチャートデータ作成装置において、「上記相違算出部が、上記推定部で推定された色と、上記知得部で知得された色との色差を上記相違として算出するものである」という形態も好ましい形態である。
【００１９】
この好ましい形態のチャートデータ作成装置によれば、上記相違として人間が知覚しやすい色差を使って、カラーチャートデータが作成されるので、人間の知覚に直結した高精度の色変換定義の作成に適したカラーチャートデータが作成される。
【００２０】
また、本発明のチャートデータ作成装置において、「上記反復部は、上記推定部で推定された各色の総合的な相違が所定の相違に収まるまで上記追加と上記色推定と上記相違算出とを反復させるものである」という形態や、あるいは、
「上記反復部は、上記色データ群を構成する色データの数が所定数に達するまで上記追加と上記色推定と上記相違算出とを反復させるものである」という形態も好ましい。
【００２１】
前者の形態によれば、カラーチャートデータの作成が、そのカラーチャートデータに基いて作成される色変換定義の精度に重点を置いて行われ、後者の形態によれば、色変換定義の精度に注目しつつもそのカラーチャートデータが表わすカラーチャートにおけるカラーパッチの数に重点を置いて行われる。
【００２２】
また、本発明のチャートデータ作成装置において、「上記色データが、互いに補色関係にある２色それぞれに対応した２つの座標軸を有する色空間上の点を表したものであり、
上記知得部が、上記色空間上に規則的に並んだ格子点のうち、上記２つの座標軸の少なくとも一方について０の座標成分を有する格子点については、それら２つの座標軸の双方について０でない座標成分を有する格子点よりも、多い数の複数の格子点それぞれを表した複数の色データについて色を知得するものである」という形態も好ましい形態である。
【００２３】
近年、印刷の分野では、ＣＭＹＫ４色のプロセス色だけでは表現しきれない色を表現するために、プロセス色に加えてプロセス色以外の特色を用いるということが行われるようになってきている。このような特色を用いる印刷機等に対応する色空間は、互いに補色関係にある２色それぞれに対応した２つの座標軸を有することが多い。このとき、印刷においては、補色関係にある２色の双方が用いられることは、一方の色のみが用いられることに比べて遥かに少ない。上記の好ましい形態のチャートデータ作成装置によれば、このような２色の双方が用いられる稀な色データについては少なめに取得することで色を効率的に知得することができる。
【００２４】
また、本発明のチャートデータ作成装置において、「上記チャートデータ作成部が、上記所定条件が満たされた場合における色データ群に、上記複数の色データのうちで上記デバイスによる媒介でグレー色に対応する色データと肌色に対応する色データとの少なくとも一方の色データを追加し、その追加された色データ群で上記カラーパッチ群を表現したカラーチャートデータを作成するものである」という形態や、
「上記推定部が、上記色データ群として、上記複数の色データのうちで上記デバイスによる媒介でグレー色に対応する色データと肌色に対応する色データとの少なくとも一方の色データを含む複数の色データからなる色データ群を、色推定の反復の当初から用いるものである」という形態も好ましい形態である。
【００２５】
これらの好ましい形態によれば、人間が特に色の相違を知覚しやすいグレー色や肌色に対応する色データが、カラーチャートデータに含まれることとなるので、より高精度の色変換定義が得られるカラーチャートデータを作成することができる。
【００２６】
また、上記目的を達成する本発明のチャートデータ作成プログラムは、コンピュータに組み込まれ、そのコンピュータ上に、
色データと色とを媒介するデバイスの複数の色データについて、そのデバイスによる媒介で各色データに対応する各色を知得する色知得部と、
上記複数の色データのうちの一部の色データからなる色データ群と、その色データ群を構成する各色データについて上記色知得部で知得された各色とに基づいて、その複数の色データのうちの、その色データ群を構成する色データ以外の色データを少なくとも含んだ複数の色データに対して上記デバイスによる媒介で対応する各色を推定する推定部と、
上記推定部で推定された色と、上記知得部で知得された色との相違を算出する相違算出部と、
上記推定部で推定された色のうちで相対的に上記相違が大きい色に対応する色データを上記色データ群に追加するデータ追加部と、
上記データ追加部による色データの追加と、その色データが追加された色データ群に基づいた、上記推定部による色推定と、その色推定に基づいた、上記相違算出部による相違算出とを、所定条件が満たされるまで反復させる反復部と、
カラーチャートを構成するカラーパッチ群を、上記所定条件が満たされた場合における色データ群で表現したカラーチャートデータを作成するチャートデータ作成部とを構築することを特徴とする。
【００２７】
この本発明のチャートデータ作成プログラムによれば、高精度の色変換定義が容易に得られる望ましいカラーチャートを表わすカラーチャートデータを作成することができる上述のチャートデータ作成装置を容易に実現することができる。
【００２８】
さらに、本発明のチャートデータ作成プログラムがコンピュータ上に構築する知得部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されてもよい。
【００２９】
また、上記目的を達成する本発明のチャートデータ作成方法は、色データと色とを媒介するデバイスの複数の色データについて、そのデバイスによる媒介で各色データに対応する各色を知得する色知得過程と、
上記複数の色データのうちの一部の色データからなる色データ群と、その色データ群を構成する各色データについて上記色知得過程で知得された各色とに基づいて、その複数の色データのうちの、その色データ群を構成する色データ以外の色データを少なくとも含んだ複数の色データに対して上記デバイスによる媒介で対応する各色を推定する推定過程と、
上記推定過程で推定された色と、上記知得過程で知得された色との相違を算出する相違算出過程と、
上記推定過程で推定された色のうちで相対的に上記相違が大きい色に対応する色データを上記色データ群に追加するデータ追加過程と、
上記データ追加過程による色データの追加と、その色データが追加された色データ群に基づいた、上記推定過程による色推定と、その色推定に基づいた、上記相違算出過程による相違算出とを、所定条件が満たされるまで反復させる反復過程と、
カラーチャートを構成するカラーパッチ群を、上記所定条件が満たされた場合における色データ群で表現したカラーチャートデータを作成するカラーチャートデータ作成過程とを備えたことを特徴とする。
【００３０】
この本発明のチャートデータ作成方法によれば、上述のチャートデータ作成装置と同様に、高精度の色変換定義が容易に得られる望ましいカラーチャートを表わすカラーチャートデータを作成することができる。
【００３１】
なお、本発明にいうチャートデータ作成プログラムおよびチャートデータ作成方法については、ここではその基本形態のみを示すのにとどめるが、これは単に重複を避けるためであり、本発明にいうチャートデータ作成プログラムやチャートデータ作成方法には、上記の基本形態のみではなく、前述したチャートデータ作成装置の各形態に対応する各種の形態が含まれる。
【発明の効果】
【００３２】
以上、説明したように、本発明によれば、望ましいカラーチャートデータを容易に作成することができる
【発明を実施するための最良の形態】
【００３３】
以下図面を参照して本発明の実施の形態を説明する。
【００３４】
図１は、本発明の一実施形態によって作成されたカラーチャートデータを使って印刷を行なう印刷システムの全体構成図である。
【００３５】
この図１に示す印刷システム１は、ＣＭＹＫ４色のプロセス色のインク、およびプロセス色以外のＲ色とＧ色との２色の特色のインクが使用できる印刷機４０を備えており、原稿画像１１を元に編集された印刷用の画像を印刷機４０で用紙上に印刷して印刷物４１を作成するものである。
【００３６】
ここで、この印刷システム１では、印刷機４０における特色のインクについては、ワークステーション２０に対するユーザ操作によって選択的に使用できるようになっている。尚、以下では、説明を簡単なものとするために、印刷機４０において特色を使用することを前提として説明する。
【００３７】
カラースキャナ１０では、原稿画像１１が読み取られて、その読み取られた原稿画像１１を表わす色分解画像データが生成される。この色分解画像データは、ワークステーション２０に入力される。ワークステーション２０では、入力された色分解画像データに基づく電子的な集版がユーザによって行なわれて印刷用の元画像が編集される。ここで、ワークステーション２０での編集は、ＲＧＢ３色で色を表示するカラーモニタ上で行われ、その編集によって、ＲＧＢ３色で色が表現された印刷用の元画像を表わす画像データ（以下、ＲＧＢ画像データと呼ぶ）が生成される。
【００３８】
ここで、このワークステーション２０は、上記のＲＧＢ画像データを、そのＲＧＢ画像データが表わす画像の色をＣＭＹＫＲＧ６色で表現した画像データ（以下、ＣＭＹＫＲＧ画像データと呼ぶ）に変換する色変換装置として動作する機能を有している。ワークステーション２０におけるこの機能により、元画像を表わすＲＧＢ画像データはＣＭＹＫＲＧ画像データに変換される。
【００３９】
さらに、このワークステーション２０は、いわゆるＲＩＰ（Ｒａｓｔｅｒ  Ｉｍａｇｅ  Ｐｒｏｃｅｓｓｏｒ）として動作する機能も備えており、この機能により、ＣＭＹＫＲＧ画像データが、網点で画像を構成した網点画像を表した網点画像データに変換される。この網点画像データへの変換は、ＣＭＹＫＲＧ６色それぞれについて行なわれ、これら各色の版の網点画像データが作成される。
【００４０】
これらの網点画像データはフィルムプリンタ３０に入力され、そのフィルムプリンタ３０では、入力された網点画像データに対応した各版の印刷用フィルム原版が作成される。この印刷用フィルム原版からは各版の刷版が作成され、それらの刷版が印刷機４０に装着される。そして、各版の刷版に、その版に対応した色のインクが塗布され、その塗布されたインクが印刷用の用紙上に転移される。その転移が、各版について行なわれて印刷物４１が形成される。
【００４１】
ここで、上記のＲＧＢ画像データからＣＭＹＫＲＧ画像データへの色変換では、ＲＧＢ３色それぞれの座標軸を有するＲＧＢ色空間と、ＣＭＹＫＲＧ６色それぞれの座標軸を有するＣＭＹＫＲＧ色空間との間の色変換を定義した色変換定義が用いられる。ワークステーション２０は、このような色変換定義を作成する色変換定義作成装置として動作する機能も有している。この色変換定義作成装置で作成された色変換定義が、上記の色変換装置において使用されて色変換が実行される。
【００４２】
また、その色変換定義の作成の際には、その作成に先立って、ワークステーション２０は、予め作成されたカラーチャートデータをフィルムプリンタ３０に出力する。そして、そのカラーチャートデータに従って、複数のカラーパッチが配列されたカラーチャート４２が印刷され、そのカラーチャート４２を構成するカラーパッチの色が分光測色計５０によって測色される。分光測色計５０による測色結果は、ワークステーション２０に入力され色変換定義の作成に用いられる。
【００４３】
図２は、色変換装置と色変換定義作成装置との関係を示すブロック図である。
【００４４】
この図２には、ＲＧＢ画像データからＣＭＹＫＲＧ画像データへの色変換を実行する色変換装置２００と、予め作成されたカラーチャートデータを使って色変換定義２５０を作成する色変換定義作成装置３００とが模式的に示されている。
【００４５】
ここで、上記のＲＧＢ色空間は、図１のカラースキャナ１０に依存しており、またＣＭＹＫＲＧ色空間は、フィルムプリンタ３０および印刷機４０の双方に依存している。このため、色変換装置２００では、カラースキャナ１０、フィルムプリンタ３０、および印刷機４０に依存しない共通色空間の一例であるＬａｂ色空間を介した色変換が行われる。この色変換では、ＲＧＢ画像データは、概念的には、一旦、Ｌａｂ色空間で色が表現されたＬａｂ画像データに変換され、その後に、ＣＭＹＫＲＧ画像データに変換される。このため、色変換装置２００で色変換に使われる色変換定義２５０も、概念的には、図２に示すように、入力デバイスであるカラースキャナ１０に依存したＲＧＢ色空間とＬａｂ色空間との間の色変換を定義した入力プロファイル２５１と、出力デバイスであるフィルムプリンタ３０および印刷機４０に依存したＣＭＹＫＲＧ色空間とＬａｂ色空間との間の色変換を定義した出力プロファイル２５２との両方を使った色変換を行うものとなっている。
【００４６】
ここで、入力プロファイル２５１については、カラースキャナ１０の製造メーカ等から提供されるスキャナプロファイルが使われ、色変換定義作成装置３００では、出力プロファイル２５２の作成が、予め作成されたカラーチャートデータを使って行われる。このカラーチャートデータは、本発明の一実施形態によって作成されたものであり、図１に示す印刷システム１のように、ＣＭＹＫＲＧ６色の色材を使って色を出力する出力システムに対応した出力プロファイルの作成用に作られたものである。また、このカラーチャートデータは、このような出力システムの他にも、例えばＣＭＹＫＲＧ６色のトナーを使って色を出力するカラープリンタ等のように、ＣＭＹＫＲＧ６色の色材を使って色を出力する出力デバイスについての出力プロファイルの作成に一般的に適用することができる。
【００４７】
以下、このようなカラーチャートデータを作成する本発明の一実施形態について説明する。
【００４８】
図３は、本発明のチャートデータ作成装置の一実施形態が適用された、カラーチャートデータの作成を行うチャートデータ作成システムを示す図である。
【００４９】
この図３に示すチャートデータ作成システム２は、本発明のチャートデータ作成装置の一実施形態として動作するパーソナルコンピュータ１００と、図１に示すフィルムプリンタ３０と同機種のフィルムプリンタ６０と、図１に示す印刷機４０と同機種の印刷機７０と、図１に示す分光測色計５０と同機種の分光測色計８０とを備えている。
【００５０】
このチャートデータ作成システム２では、上記の出力プロファイル２５２を最終的に構成する、ＣＭＹＫＲＧ色空間上に規則的に並ぶ複数の格子点のうちから、出力プロファイル２５２の作成に最低限必要な複数の代表点が選ばれ、それら複数の代表点それぞれを表わす色データ群で表現されたカラーパッチ群で構成された代表カラーチャート７１が使われる。本実施形態では、この代表カラーチャート７１を表わす代表カラーチャートデータが予め用意される。そして、その代表カラーチャートデータが、パーソナルコンピュータ１００からフィルムプリンタ６０に渡され、フィルムプリンタ６０と印刷機７０とを介して代表カラーチャート７１が印刷される。印刷された代表カラーチャート７１を構成する複数のカラーパッチの色が分光測色計８０で測色され、測色結果がパーソナルコンピュータ１００に入力される。パーソナルコンピュータ１００では、この測色結果に基づいて、上記の出力プロファイルを作成するためのチャートデータが作成される。
【００５１】
図４は、パーソナルコンピュータ１００および分光測色計８０の外観斜視図、図５は、パーソナルコンピュータ１００のハードウェア構成図である。
【００５２】
この図４に示す分光測色計８０には、オペレータによって代表カラーチャート７１が乗せられる。この代表カラーチャート７１は複数のカラーパッチが配列されたものであり、これらのカラーパッチそれぞれについて測色値が分光測色計８０によってＸＹＺ値で得られる。この分光測色計８０での測色で得られた各カラーパッチのＸＹＺ値は、ケーブル８１を経由してパーソナルコンピュータ１００に入力される。
【００５３】
この代表カラーチャート７１は、図３に示すチャートデータ作成システム２で印刷されたものであり、パーソナルコンピュータ１００では、その代表カラーチャート７１の各カラーパッチについて得られたＸＹＺ値に基いてカラーチャートデータが作成される。このカラーチャートデータの作成に関する詳細説明は後に譲り、次に、パーソナルコンピュータ１００のハードウェア構成について説明する。
【００５４】
このパーソナルコンピュータ１００は、外観構成上、本体装置１１０、その本体装置１１０からの指示に応じて表示画面１２０ａ上に画像を表示する画像表示装置１２０、本体装置１１０に、キー操作に応じた各種の情報を入力するキーボード１３０、および、表示画面１２０ａ上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００５５】
本体装置１１０の内部には、図５に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ９１をアクセスするＦＤドライブ１１４、ＣＤ−ＲＯＭ９２が装填され、その装填されたＣＤ−ＲＯＭ９２をアクセスするＣＤ−ＲＯＭドライブ１１５、図３のフィルムプリンタ６０や分光測色計８０に接続されこれらの機器とデータのやり取りを行なうＩ／Ｏインタフェース１１６が内蔵されており、これらの各種要素と、さらに図４にも示す画像表示装置１２０、キーボード１３０、マウス１４０は、バス１５０を介して相互に接続されている。
【００５６】
本実施形態では、図５に示すＣＤ−ＲＯＭ９２に、このパーソナルコンピュータ１００を、本発明のチャートデータ作成装置の一実施形態として動作させる、本発明のチャートデータ作成プログラムの一実施形態が記憶される。そして、そのＣＤ−ＲＯＭ９２がＣＤ−ＲＯＭドライブ１１５に装填されると、そのＣＤ−ＲＯＭ９２に記憶されたプログラムがこのパーソナルコンピュータ１００にアップロードされてハードディスク装置１１３に書き込まれる。これにより、パーソナルコンピュータ１００がチャートデータ作成装置として動作して、本発明のチャートデータ作成方法の一実施形態が実行される。
【００５７】
図６は、本発明のチャートデータ作成方法の一実施形態を示すフローチャートである。
【００５８】
このチャートデータ作成方法は、色知得過程（ステップＳ１０１）と、推定過程（ステップＳ１０２）と、相違算出過程（ステップＳ１０３）と、データ追加過程（ステップＳ１０４）と、反復過程（ステップＳ１０５）と、チャートデータ作成過程（ステップＳ１０６）とを有する。
【００５９】
色知得過程（ステップＳ１０１）は、図３に示す代表カラーチャート７１を構成する複数のカラーパッチについての測色で得られた測色値（ＸＹＺ値）を取得することで、それら複数のカラーパッチそれぞれの色が知得する過程であり、本発明のチャートデータ作成方法における色知得過程の一例に相当する。ここで、代表カラーチャート７１の詳細については後述する。
【００６０】
次の推定過程（ステップＳ１０２）では、上記の代表カラーチャート７１を表わす、予め用意された代表カラーチャートデータをなす複数の色データのうちの一部の色データからなる色データ群と、その色データ群を構成する各色データについて色知得過程（ステップＳ１０１）で取得された測色値とが使われる。これらの色データ群と測色値とに基づいて、代表カラーチャートデータをなす複数の色データのうち、上記の色データ群を構成する色データ以外の色データが表わすカラーパッチの色がＸＹＺ値で推定される。この推定過程（ステップＳ１０２）は、本発明のチャートデータ作成方法における推定過程の一例に相当する。
【００６１】
相違算出過程（ステップＳ１０３）は、推定過程（ステップＳ１０２）で推定で得られたＸＹＺ値があらわす色と、色知得過程（ステップＳ１０１）で測色値として得られたＸＹＺ値が表わす正解の色との色差を算出する過程であり、本発明のチャートデータ作成方法における相違算出過程の一例に相当する。
【００６２】
データ追加過程（ステップＳ１０４）は、推定過程（ステップＳ１０２）で推定で得られたＸＹＺ値が表わす色のうちで、相違算出過程（ステップＳ１０３）で算出された色差が大きい色のカラーパッチを表わす色データを上記の色データ群に追加する過程であり、本発明のチャートデータ作成方法におけるデータ追加過程の一例に相当する。
【００６３】
次の反復過程（ステップＳ１０５）は、データ追加過程（ステップＳ１０４）による色データの追加と、その色データが追加された色データ群に基づいた、上記の推定過程（ステップＳ１０２）による色推定と、その色推定に基づいた、上記の相違算出過程（ステップＳ１０３）による相違算出とを、後述の反復停止条件が満たされるまで反復させる過程であり、本発明のチャートデータ作成方法における反復過程の一例に相当する。
【００６４】
最後に、チャートデータ作成過程（ステップＳ１０５）において、上記の反復停止条件が満たされた場合における色データ群でカラーパッチ群が表現されたカラーチャートデータが、出力プロファイル作成用のカラーチャートデータとして作成される。このチャートデータ作成過程（ステップＳ１０５）は、本発明のチャートデータ作成方法におけるチャートデータ作成過程の一例に相当する。
【００６５】
これら各ステップの詳細な内容については後述する。
【００６６】
次に、このようなチャートデータ作成方法をパーソナルコンピュータ１００に実行させる、本発明のチャートデータ作成プログラムの一実施形態について説明する。
【００６７】
図７は、本発明のチャートデータ作成プログラムの一実施形態であるチャートデータ作成プログラムを示す模式図である。
【００６８】
この図７には、本発明のチャートデータ作成プログラムの一実施形態であるチャートデータ作成プログラム５００が記憶されたＣＤ−ＲＯＭ９２が模式的に示されている。
【００６９】
このチャートデータ作成プログラム５００は、コンピュータ１００を本発明のチャートデータ作成装置の一実施形態として動作させるものであり、色知得部５１０と、推定部５２０と、相違算出部５３０と、データ追加部５４０と、反復部５５０と、データ作成部５６０とを有する。
【００７０】
このチャートデータ作成プログラム５００の色知得部５１０、推定部５２０、相違算出部５３０、データ追加部５４０、反復部５５０、およびデータ作成部５６０は、それぞれ図６に示す色知得過程（ステップＳ１０１）、推定過程（ステップＳ１０２）、相違算出過程（ステップＳ１０３）、データ追加過程（ステップＳ１０４）、反復過程（ステップＳ１０５）、およびデータ作成過程（ステップＳ１０６）をパーソナルコンピュータ１００上で実行させる役割を担っている。
【００７１】
このチャートデータ作成プログラム５００の各要素の詳細については後述する。
【００７２】
図８は、本発明のチャートデータ作成装置の一実施形態を示すブロック図である。
【００７３】
この図８に示す、本発明のチャートデータ作成装置の一実施形態であるチャートデータ作成装置６００は、図７のチャートデータ作成プログラム５００が図１のパーソナルコンピュータ１００にインストールされて実行されることによって構成されるものであり、色知得部６１０と、推定部６２０と、相違算出部６３０と、データ追加部６４０と、反復部６５０と、データ作成部６６０とを備えている。
【００７４】
図７のチャートデータ作成プログラム５００が、図１のコンピュータ１００にインストールされると、そのチャートデータ作成プログラム５００の色知得部５１０、推定部５２０、相違算出部５３０、データ追加部５４０、反復部５５０、およびデータ作成部５６０は、それぞれ図８に示すチャートデータ作成装置６００の色知得部６１０、推定部６２０、相違算出部６３０、データ追加部６４０、反復部６５０、およびデータ作成部６６０を構築する。ここで、これらチャートデータ作成装置６００の各要素は、コンピュータのハードウェアとそのコンピュータで実行されるＯＳやアプリケーションプログラムとの組合せで構成されているのに対し、図７のチャートデータ作成プログラム５００の各要素は、アプリケーションプログラムのみによって構成されている。
【００７５】
また、このチャートデータ作成装置６００における色知得部６１０、推定部６２０、相違算出部６３０、データ追加部６４０、反復部６５０、およびデータ作成部６６０は、それぞれ本発明のチャートデータ作成装置における色知得部、推定部、相違算出部、データ追加部、反復部、およびデータ作成部の各一例に相当する。
【００７６】
以下、この図８に示すチャートデータ作成装置６００の各要素を説明することによって、図６に示すフローチャートの各ステップの詳細と、図７に示すチャートデータ作成プログラム５００の各要素の詳細も併せて説明する。
【００７７】
ここで、このチャートデータ作成装置６００で作成されるカラーチャートデータについて補足する。
【００７８】
このカラーチャートデータは、上述したように、ＣＭＹＫＲＧ６色の色材を使って色を出力する出力デバイスについての出力プロファイルの作成に一般的に適用される。この出力プロファイルは、６次元のデバイス色空間であるＣＭＹＫＲＧ色空間内で規則的に並ぶ複数の格子点それぞれを表す色データと、共通色空間であるＬａｂ色空間上で、上記の出力デバイスによる媒介で各格子点に一対一に対応する複数の対応点それぞれを表す色データとの組がテーブル形式で記述されたものとなる。
【００７９】
ここで、出力プロファイルを構成する上記の複数の格子点とは、ＣＭＹＫＲＧ色空間内の次のような座標点である。即ち、Ｃ軸上の６種類の座標成分（Ｃ値：網パーセント＝０％，２０％，４０％，６０％，８０％，１００％）、Ｍ軸上の６種類の座標成分（Ｍ値＝０％，２０％，４０％，６０％，８０％，１００％）、Ｙ軸上の６種類の座標成分（Ｙ値＝０％，２０％，４０％，６０％，８０％，１００％）、Ｋ軸上の６種類の座標成分（Ｋ値＝０％，２０％，４０％，６０％，８０％，１００％）、Ｒ軸上の６種類の座標成分（Ｒ値＝０％，２０％，４０％，６０％，８０％，１００％）、Ｇ軸上の６種類の座標成分（Ｇ値＝０％，２０％，４０％，６０％，８０％，１００％）の組合せの座標で表される６６＝４６６５６個の座標点である。即ち、このチャートデータ作成装置６００で作成されるカラーチャートデータは、これら４６６５６個の格子点それぞれと、各格子点に対応する４６６５６個の対応点それぞれとの組からなる出力プロファイルの作成に使われるものである。
【００８０】
本実施形態では、このカラーチャートデータの作成に先立ち、図３に示す代表カラーチャート７１を構成する複数のカラーパッチについての測色が行われる。
【００８１】
この代表カラーチャート７１は、上記の４６６５６個の格子点のうちの以下のような４３８４個の代表格子点それぞれを表わす色データでカラーパッチを表現するものである。また、その代表格子点とは、上記の４６６５６個の格子点のうち、互いに補色関係にある２色（Ｃ色とＲ色の２色、および、Ｍ色とＧ色の２色）それぞれに対応した２つの座標軸の座標成分の少なくとも一方が「０％」である格子点と、両方の座標成分が「１００％」である格子点とを合わせた４３８４個の格子点である。
【００８２】
本実施形態では、このような４３８４個の代表格子点それぞれを表わす色データでカラーパッチが表現された代表カラーチャートデータが予め用意され、この代表カラーチャートデータに基づいて図３の印刷機７１で代表カラーチャート７１が印刷される。そして、分光測色計８０で、代表カラーチャート７１を構成する４３８４個のカラーパッチの色が測色されて、４３８４個の測色値（ＸＹＺ値）が得られる。
【００８３】
図８に示す色知得部６１０では、これら４３８４個の測色値（ＸＹＺ値）が取得される。
【００８４】
推定部６２０は、上記の代表カラーチャートデータをなす、４３８４個のカラーパッチを表わす４３８４個の色データのうち、後述のように色データが適宜に追加される複数の色データからなる色データ群と、その色データ群を構成する各色データについて色知得部で取得された測色値とに基づいて、上記の４３８４個の色データのうち、上記の色データ群を構成する色データ以外の色データが表わすカラーパッチの色をＸＹＺ値で推定する。ここで、この推定部６２０は、このような色推定を後述のように反復する。また、色の推定が一回実行される毎に、上記の色データ群には後述のように色データが追加され、推定部６２０は、その色データが追加された新たな色データ群に基づいた色推定を行う。
【００８５】
ここで、本実施形態では、初回の色推定では、以下に説明する８８個の色データからなる初期データ群が使われる。
【００８６】
この初期データ群には、まず、ＣＭＹＫＲＧ色空間上で、上記の４３８４個の代表格子点の配列が形成する６次元の立方体の角に相当する端点を表わす色データ（端点データ）が含まれる。
【００８７】
ここで、推定部６２０で行われる色推定は、ＣＭＹＫＲＧ色空間上の格子点間における、ＸＹＺ色空間上でそれらの格子点に対応する対応点の相互関係を統一的に規定したラプラス方程式を解いて、色推定対象の色データが表わす格子点に対応する対応点（ＸＹＺ値）を求めることで行われる。このラプラス方程式の解法については公知であるので、ここでは詳細な説明を省略する。ここで、このラプラス方程式を解くには、幾つかの格子点についての対応点（ＸＹＺ値）が境界条件として使われる。このとき、上記の端点についての対応点は必ず境界条件として必要となる。そこで、本実施形態では、この端点についての対応点が測色によって得られるように、上記の初期データ群に、この端点を表わす端点色データが含まれることとなっている。
【００８８】
図９は、初期データ群に含まれる、端点データのリストである。
【００８９】
この図９のリストＬ１に示すように、端点データは、ＣＭＹＫＲＧ６値についての、「０％」と「１００％」との２値の組合せで表される２６＝６４個の色データである。
【００９０】
また、上記の初期データ群には、初回の色推定がある程度の精度で行われるように、ＣＭＹＫＲＧ各軸上の次のような格子点に対応した、ＣＭＹＫＲＧ各単色についての色データ（単色データ）も含まれる。
【００９１】
図１０は、初期データ群に含まれる、単色データのリストである。
【００９２】
この図１０のリストＬ２に示すように、単色データは、ＣＭＹＫＲＧ各軸上の「２０％」、「４０％」、「６０％」、および「８０％」の点である２４個の格子点それぞれを表わす２４個の色データである。
【００９３】
本実施形態では、図８の推定部６２０では、以上のような端点データと単色データとからなる初期データ群に基づいて初回の色推定が行われる。ここで、この色推定の際に、ラプラス方程式を解くと、ＣＭＹＫＲＧ色空間上の４６６５６個の格子点の全てについて、ＸＹＺ色空間上で各格子点に対応する対応点のＸＹＺ値が得られる。上記の推定部６２０では、全対応点のＸＹＺ値のうち、上記の代表カラーチャートデータをなす４３８４個の色データが表わす格子点に対応する対応点であって、境界条件に使われた対応点を除く対応点のＸＹＺ値が、相違算出部６３０による後述の相違の算出対象としてピックアップされる。
【００９４】
このとき、上記の出力プロファイルにおいて共通色空間として扱われるＬａｂ色空間上の座標は、ＸＹＺ色空間上の座標に一対一に換算されるので、上記の４６６５６個の全格子点と、ラプラス方程式を解いて得られる全対応点を一対一に並記してテーブル形式にまとめたものは出力プロファイルと同等なものとなる。また、色推定に使われる初期データ群等の色データ群は、上記の代表カラーチャートをなす４３８４個のカラーパッチのうちの一部を表現したものであり、カラーチャートデータの一種であると捉えることができる。つまり、推定部６２０における色推定は、仮のカラーチャートデータに基づいた、出力プロファイルの仮作成であると捉えることができる。初回の色推定は、仮のカラーチャートデータをなす色データ群が、上記の８８個の色データからなるデータ数の少ない初期データ群であるので粗い仮作成となる。
【００９５】
初回の色推定が終了すると、相違算出部６３０が、その色推定で得られたＸＹＺ値が表す色推定対象のカラーパッチの推定色と、色知得部６１０で得られた、それらのカラーパッチについての測色値（ＸＹＺ値）が表わす正解の色との色差を算出する。
【００９６】
この相違算出部６３０で算出される色差は、上記の色推定を出力プロファイルの仮作成と捉えると、仮作成された出力プロファイルにおける４６６５６個の格子点のうち、色知得部６１０で正解の色が知得されている各格子点についての精度となる。
【００９７】
初回の色推定では、出力プロファイルの仮作成が粗いので、これらの各格子点についての精度は低い。
【００９８】
データ追加部６４０は、初期データ群以外の色データのうち、相違算出部６３０で算出された色差が大きい色のカラーパッチを表わす色データを、色差が大きい順に５０個だけ初期データ群に追加して新たな色データ群を作る。
【００９９】
反復部６５０は、上記の相違算出部６３０が相違算出を行ったタイミングで、その相違算出の対象である全推定色についての平均色差が「１」以下となるか、色データ群を構成する色データの数が「１２００個」に達するという反復停止条件が満たされるか否かを判定する。そして、いずれの条件も満たされていないと判定された場合に、データ追加部６３０に色データの追加を指示し、推定部６２０に、その色データが追加された色データ群に基づいた色推定を指示し、さらに、その色推定に基づいた相違算出を相違算出部６３０に指示する。この反復部６５０は、これらの指示を、上記の反復停止条件が満たされるまで続ける。
【０１００】
この反復部６５０による各部への指示によって実行される反復では、出力プロファイルの仮作成が１回実行される度に、評価精度が低い格子点を表わす色データが、次回の仮作成で使われる仮のカラーチャートデータに追加される。そして、このようなカラーチャートデータを使った次回の仮作成では、前回評価精度が低かった格子点に対応する対応点については正解の対応点が境界条件として与えられ、その対応点の周辺の対応点については前回よりも高い精度で算出されることとなる。つまり、本実施形態では、仮のカラーチャートデータを使った出力プロファイルの仮作成が、仮作成の精度を向上させるべく仮のカラーチャートデータを補強しながら繰り返されることとなる。
【０１０１】
また、上記の平均色差は、仮作成された出力プロファイルの全体的な精度と捉えることができる。つまり、本実施形態では、出力プロファイルの仮作成が、精度が所望の精度となるか、カラーチャートデータが表わすカラーチャートにおけるパッチ数が「１２００個」という現実的な上限数に達するまで繰り返されることとなる。
【０１０２】
図１１は、パッチ数の増加に対する平均色差の推移の一例を示すグラフである。
【０１０３】
この図１１のグラフＧ１には、上記の８８個の色データからなる初期データ群に基づく色推定ではおよそ「５」弱であった平均色差が、色推定に用いる色データの数、即ち、仮のカラーチャートデータが表わすカラーチャートにおけるパッチ数が増加するに従って低下し、そのパッチ数が「１２００個」に達する前には「１」以下になる様子が示されている。
【０１０４】
この例では、上記の反復は、パッチ数が「１２００個」に達する前の、平均色差が「１」以下となった時点で停止される。
【０１０５】
ここで、出力プロファイルの精度としては、上記の平均色差の他に、例えば、全推定色における最大色差や、全推定色中で色差が所定値以下となる推定色が占める割合等が挙げられる。つまり、本発明にいう反復部の別例として、上記の最大色差や上記の割合を反復停止条件として持ちいるものが考えられる。
【０１０６】
図１２は、パッチ数の増加に対する最大色差の推移の一例を示すグラフであり、図１３は、パッチ数の増加に対する、色差が「２」以下となる推定色が占める割合の推移の一例を示すグラフである。
【０１０７】
図１２のグラフＧ２には、上記の８８個の色データからなる初期データ群に基づく色推定ではおよそ「３０」強であった最大色差が、パッチ数の増加に従って低下し、パッチ数のが「１２００個」に達する前には「２」以下になる様子が示されている。また、図１３のグラフＧ３には、上記の８８個の色データからなる初期データ群に基づく色推定ではおよそ「２５％」程度であった、色差が「２」以下となる推定色が占める割合が、パッチ数の増加に従って上昇し、パッチ数が「１２００個」に達する前には「９５％」以上になる様子が示されている。
【０１０８】
次に、図８に戻って、本実施形態についての説明を続ける。
【０１０９】
本実施形態では、上述した色データ群における平均色差が「１」以下となるか、パッチ数が「１２００個」に達するという反復停止条件が満たされると、チャートデータ作成部６６０において、その場合における色データ群に、色知得部６１０で測色値が取得された上記の４３８４個のカラーパッチのうちの肌色近傍の色のカラーパッチを表わす色データ（肌色データ）と、グレー色近傍の色のカラーパッチを表わす色データ（グレー色データ）とが追加される。
【０１１０】
図１４は、肌色データのリストであり、図１５は、グレー色データのリストである。
【０１１１】
図１４のリストＬ３には、人間の目に肌色として敏感に知覚されやすい色を表わす５６個の色データが示されており、図１５のリストＬ４には、人間の目にグレー色として敏感に知覚されやすい色を表わす８８個の色データが示されている。
【０１１２】
本実施形態では、上記の色推定と相違算出と色データの追加との反復によって得られた色データ群に、人間の目に特に敏感に知覚される色を表わす上記のような色データが追加され、その追加済みの最終的な色データ群で、カラーチャートを構成するカラーパッチ群を表現したカラーチャートデータが、出力プロファイル作成用のカラーチャートデータとして作成される。
【０１１３】
以上に説明した本実施形態のチャートデータ作成装置６００が作成したカラーチャートデータによれば、上記の反復によって得られた色データによって全体的な精度の高さが保証され、最後に追加された色データによって、人間の目に特に敏感に知覚される色についての精度の高さが保証された高精度の出力プロファイルを得ることができる。そして、本実施形態のチャートデータ作成装置６００によれば、そのような高精度の出力プロファイルが得られる望ましいカラーチャートデータを、図３の印刷機７１で上記の４３８４個のカラーパッチで構成された代表カラーチャート７１を１回出力するだけで容易に作成することができる。
【０１１４】
尚、上記では、本発明のチャートデータ作成装置の一実施形態として、上記の初期データ群として、図９に示す端点データと図１０に示す単色データとの８８個の色データを用いるチャートデータ作成装置６００を例示したが、本発明はこれに限るものではない。本発明のチャートデータ作成装置は、例えば、端点データおよび単色データに、図１４に示す肌色データと図１５に示すグレー色データとを加えた２３２個の色データを初期データ群の色データとして用いるものであっても良い。
【０１１５】
このような別形態のチャートデータ作成装置で得られるカラーチャートデータでも、上述した実施形態のチャートデータ作成装置６００と同様に高精度の出力プロファイルを得ることができる。
【０１１６】
以下、この別形態のチャートデータ作成装置で得られるカラーチャートデータに基づいて作成される出力プロファイルの高精度性を、出力プロファイルの精度である平均色差、その精度の別例である最大色差、および、色差が「２」以下となる推定色が占める割合を使って説明する。
【０１１７】
図１６は、別形態のチャートデータ作成装置におけるカラーチャートデータ作成時の、パッチ数の増加に対する平均色差の推移の一例を示すグラフであり、図１７は、パッチ数の増加に対する最大色差の推移の一例を示すグラフであり、図１８は、パッチ数の増加に対する、色差が「２」以下となる推定色が占める割合の推移の一例を示すグラフである。
【０１１８】
これら３種類の精度についての３つのグラフＧ４，Ｇ５，Ｇ６から、上記に説明した図８のチャートデータ作成装置６００と同様に、出力プロファイルの仮作成を繰り返すと所望の精度が得られることが分かる。ただし、この別形態のチャートデータ作成装置では、初期データ群には、上記の実施形態における初期データ群よりもデータ数が多い２３２個の色データが含まれている。そのため、初回時のパッチ数が２３２個となり、所望の精度が得られるパッチ数も、図８のチャートデータ作成装置６００の時よりも多くなる。しかし、図８のチャートデータ作成装置６００でも最後にデータの追加を行っているので、最終的に得られるカラーチャートデータにおける色データの数、即ち、そのカラーチャートデータが表わすカラーチャートにおけるパッチ数は、互いにほぼ同数となる。また、これら２種類のチャートデータ作成装置それぞれで作成されたカラーチャートデータに基づく出力プロファイルにおける肌色やグレー色についての精度は互いにほぼ同等なものとなる。
【０１１９】
例えば、図８のチャートデータ作成装置６００で作成されたカラーチャートデータに基づく出力プロファイルにおける肌色やグレー色についての精度の一例は次のようになる。即ち、肌色の近傍色についての平均色差は０．８６３、最大色差は１．４３２となり、グレー色の近傍色についての平均色差は０．７９８、最大色差は１．８５２となる。一方、上記の別形態のチャートデータ作成装置で作成されたカラーチャートデータに基づく出力プロファイルにおける肌色やグレー色についての精度の一例は次のようになる。即ち、肌色の近傍色についての平均色差は０．８６３、最大色差は１．４３２となり、グレー色の近傍色についての平均色差は０．８０３、最大色差は１．８４９となる。このように、グレー色の近傍色について若干の差異が見られるものの両者の精度はほぼ一致する。
【０１２０】
尚、上記では、本発明のチャートデータ作成装置の一実施形態として、２色の特色を用いた印刷を行なう印刷機４０に対応した出力プロファイルのためのカラーチャートデータを作成するチャートデータ作成装置６００を例示したが、本発明はこれに限るものではない。本発明のチャートデータ作成装置は、ＣＭＹ３色やＣＭＹＫ４色等といったプロセス色のみを用いた印刷や特色を１色だけ用いた印刷や３色以上の特色を用いた印刷等を行なう印刷機に対応した出力プロファイルのためのカラーチャートデータを作成するものであっても良く、あるいは、カラープリントを行うプリンタやカラー画像を表示するカラーモニタ等といった印刷機以外の出力デバイスに対応した出力プロファイルのためのカラーチャートデータを作成するものであっても良く、あるいは、原稿を読み取って画像データを得るスキャナや被写体を撮影して画像データを得るＤＳＣ（デジタルスチルカメラ）等といった入力デバイスに対応した入力プロファイルのためのカラーチャートデータを作成するものであっても良い。
【０１２１】
また、上記では、本発明のチャートデータ作成装置の一実施形態として、反復で得られたカラーチャートデータに追加する色データとして、肌色やグレー色のカラーパッチを表現した色データを採用したチャートデータ作成装置６００や、初期データ群に特別に含まれる色データとして、肌色やグレー色のカラーパッチを表現した色データを採用したチャートデータ作成装置を例示したが、本発明はこれに限るものではない。本発明のチャートデータ作成装置は、例えばオレンジ色等といった肌色やグレー色以外の色のカラーパッチを表現した色データを、最後に追加する色データや、初期データ群に特別に含まれる色データとして採用するチャートデータ作成装置であっても良く、そのような追加の色データや特別に含ませる色データを全く用いないチャートデータ作成装置であっても良い。
【０１２２】
また、上記では、本発明にいう反復部の一例として、上記の色推定等の処理の反復を、上記の平均色差や最大色差や色差が「２」以下となる推定色が占める割合等といった精度についての条件と、カラーチャートにおけるパッチ数についての条件とのいずれか一方が満足されるまで続けさせる反復部を例示したが、本発明はこれに限るものではない。本発明の反復部は、例えば、精度についての条件のみが満足されるまで反復を続けさせるものであっても良く、あるいは、パッチ数についての条件のみが満足されるまで反復を続けさせるものであっても良く、あるいは、精度についての条件とパッチ数についての条件との双方が満足されるまで反復を続けさせるものであっても良い。
【図面の簡単な説明】
【０１２３】
【図１】本発明の一実施形態によって作成されたカラーチャートデータを使って印刷を行なう印刷システムの全体構成図である。
【図２】色変換装置と色変換定義作成装置との関係を示すブロック図である。
【図３】本発明のチャートデータ作成装置の一実施形態が適用された、カラーチャートデータの作成を行うチャートデータ作成システムを示す図である。
【図４】パーソナルコンピュータ１００および分光測色計８０の外観斜視図である。
【図５】パーソナルコンピュータ１００のハードウェア構成図である。
【図６】本発明のチャートデータ作成方法の一実施形態を示すフローチャートである。
【図７】本発明のチャートデータ作成プログラムの一実施形態であるチャートデータ作成プログラムを示す模式図である。
【図８】本発明のチャートデータ作成装置の一実施形態を示すブロック図である。
【図９】初期データ群に含まれる、端点データのリストである。
【図１０】初期データ群に含まれる、単色データのリストである。
【図１１】パッチ数の増加に対する平均色差の推移の一例を示すグラフである。
【図１２】パッチ数の増加に対する最大色差の推移の一例を示すグラフである。
【図１３】パッチ数の増加に対する、色差が「２」以下となる推定色が占める割合の推移の一例を示すグラフである。
【図１４】肌色データのリストである。
【図１５】グレー色データのリストである。
【図１６】別形態のチャートデータ作成装置におけるカラーチャートデータ作成時の、パッチ数の増加に対する平均色差の推移の一例を示すグラフである。
【図１７】別形態のチャートデータ作成装置におけるカラーチャートデータ作成時の、パッチ数の増加に対する最大色差の推移の一例を示すグラフである。
【図１８】別形態のチャートデータ作成装置におけるカラーチャートデータ作成時の、パッチ数の増加に対する、色差が「２」以下となる推定色が占める割合の推移の一例を示すグラフである。
【符号の説明】
【０１２４】
１    印刷システム
２    チャートデータ作成システム
１１    原稿画像
１０    カラースキャナ
２０    ワークステーション
３０，６０    フィルムプリンタ
４０，７０    印刷機
４１    印刷物
４２，７１    カラーチャート
５０，８０    分光測色計
８１    ケーブル
９１    ＦＤ
９２    ＣＤ−ＲＯＭ
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１２０    画像表示装置
１２０ａ    表示画面
１３０    キーボード
１４０    マウス
１５０    バス
２００    色変換装置
２５０    色変換定義
２５１    入力プロファイル
２５２    出力プロファイル
３００    色変換定義作成装置
５００    チャートデータ作成プログラム
５１０    色知得部
５２０    推定部
５３０    相違算出部
５４０    データ追加部
５５０    反復部
５６０    データ作成部
６００    チャートデータ作成装置
６１０    色知得部
６２０    推定部
６３０    相違算出部
６４０    データ追加部
６５０    反復部
６６０    データ作成部
【図１】
2007324862.tif 000003
【図２】
2007324862.tif 000004
【図３】
2007324862.tif 000005
【図４】
2007324862.tif 000006
【図５】
2007324862.tif 000007
【図６】
2007324862.tif 000008
【図７】
2007324862.tif 000009
【図８】
2007324862.tif 000010
【図９】
2007324862.tif 000011
【図１０】
2007324862.tif 000012
【図１１】
2007324862.tif 000013
【図１２】
2007324862.tif 000014
【図１３】
2007324862.tif 000015
【図１４】
2007324862.tif 000016
【図１５】
2007324862.tif 000017
【図１６】
2007324862.tif 000018
【図１７】
2007324862.tif 000019
【図１８】
2007324862.tif 000020